(57)【要約】      （修正有）【課題】被服において、関節を生地が覆い締め付けず、筋肉への負担が少なく、疲れ難くする。【解決手段】インナーウェア１（被服）は、肘関節を覆う袖を有し、この袖のうち肘窩に対向する部分に対向する部分に開放部５１を設けている。この開放部５１を設けることにより、関節を生地が覆い締め付けず、筋肉への負担が少なく、疲れ難くすることができる。袖は、複数の生地片が縫合されて成り、開放部５１は、袖の長手方向に隣り合う生地片が縫合されないことにより設けられる。【選択図】図１
0003218894.tif 000002
【実用新案登録請求の範囲】
【請求項１】
肘関節を覆う袖又は膝関節を覆う股下部を有する被服であって、
前記袖のうち肘窩に対向する部分又は前記股下部のうち膝窩に対向する部分に開放部を設けたことを特徴とする被服。
【請求項２】
前記袖又は前記股下部は、複数の生地片が縫合されて成り、
前記開放部は、前記袖又は前記股下部の長手方向に隣り合う前記生地片が縫合されないことにより設けられることを特徴とする請求項１に記載の被服。
【請求項３】
前記袖又は前記股下部の長手方向に隣り合う前記生地片の一方が延伸され、前記開放部を被覆することを特徴とする請求項２に記載の被服。
【請求項４】
一方向の伸縮性がこれに直交する他方向の伸縮性よりも高い生地片が縫合されて成り、
前身を成す生地片と、後身を成す生地片とは、伸縮性が高くなる方向性が互いに直交することを特徴とする請求項１乃至請求項３のいずれか一項に記載の被服。
【請求項５】
屈筋に対向する生地片と、伸筋に対向する生地片とは、伸縮性が高くなる方向性が互いに直交することを特徴とする請求項４に記載の被服。
【考案の詳細な説明】
【技術分野】
【０００１】
本考案は、インナーウェア又はインナースパッツといった被服に関する。
【背景技術】
【０００２】
従来から、腕や脚を楽に屈曲でき、肘や膝の嵩張りを抑制した被服が知られている（例えば、特許文献１参照）。上記特許文献１に記載の被服では、袖又はズボンの筒状部を形成する服地の膝又は肘の当たる部分に、折山線に直交する開口を設け、この開口を中心として、服地の裏に伸縮性の大きい生地を重ね合わせている。
【先行技術文献】
【特許文献】
【０００３】
【特許文献１】実開昭５９−１２９８１７号公報
【考案の概要】
【考案が解決しようとする課題】
【０００４】
しかしながら、上記特許文献１に記載の被服は、袖や筒状部自体は、伸縮性の少ない生地を主として用いたアウター着を想定している。一方、インナー着では、従来から、生地の厚みや素材を変えることにより、各部位の伸縮性をコントロールするものが知られている。ところが、これらのものは、関節を生地が覆い締め付けるので、筋肉に負担がかかり、疲れ易くなり、結果的に十分なサポートが得られないことがある。
【０００５】
本考案は、上記課題に鑑みてなされたものであり、関節を生地が覆い締め付けず、筋肉への負担が少なく、疲れ難く、必要なサポートが得られるインナーウェア又はインナースパッツといった被服を提供することを目的とする。
【課題を解決するための手段】
【０００６】
上記課題を解決するため、本考案は、肘関節を覆う袖又は膝関節を覆う股下部を有する被服であって、前記袖のうち肘窩に対向する部分又は前記股下部のうち膝窩に対向する部分に開放部を設けたことを特徴とする。
【０００７】
上記被服において、前記袖又は前記股下部は、複数の生地片が縫合されて成り、前記開放部は、前記袖又は前記股下部の長手方向に隣り合う前記生地片が縫合されないことにより設けられることが好ましい。
【０００８】
上記被服において、前記袖又は前記股下部の長手方向に隣り合う前記生地片の一方が延伸され、前記開放部を被覆することが好ましい。
【０００９】
上記被服において、一方向の伸縮性がこれに直交する他方向の伸縮性よりも高い生地が縫合されて成り、前身を成す生地片と、後身を成す生地片とは、伸縮性が高くなる方向性が互いに直交することが好ましい。
【００１０】
上記被服において、屈筋に対向する生地片と、伸筋に対向する生地片とは、伸縮性が高くなる方向性が互いに直交することが好ましい。
【考案の効果】
【００１１】
本考案によれば、被服の肘又は膝を曲げる内側にあたる部分である肘窩又は膝窩の位置に、開放部を設けることにより、関節を生地片が覆い締め付けず、筋肉への負担が少なく、疲れ難くすることができる。
【図面の簡単な説明】
【００１２】
【図１】（ａ）は本考案の第１の実施形態に係る被服（インナーウェア）の正面図、（ｂ）は背面図。
【図２】（ａ）は上記インナーウェアの被服の胴部の生地片を示す図、（ｂ）は右袖の生地片を示す図。
【図３】上記インナーウェアの袖を示す斜視図。
【図４】（ａ）は本考案の第２の実施形態に係る被服（インナースパッツ）の正面図、（ｂ）は背面図。
【図５】上記インナースパッツの股下部を構成する生地片を示す図。
【図６】上記インナースパッツの股下部を示す斜視図。
【考案を実施するための形態】
【００１３】
本考案の第１の実施形態に係る被服について、図１乃至図３を参照して説明する。図１（ａ）（ｂ）に示すように、本実施形態の被服は、肘関節を覆う袖を有する上半身用のインナーウェア１である。なお、図例では、ハイネックタイプのインナーウェアを示しているが、これに限られない。インナーウェア１は、使用者の身体にフィットするように、伸縮性の大きな複数の生地片を縫合することで製造され、また、それらの生地片は、一方向の伸縮性がこれに直交する他方向の伸縮性よりも高いものである。
【００１４】
インナーウェア１は、主として、胴部２と、左袖３（袖）と、右袖４（袖）と、を有する。胴部２は、主に前身頃２１及び後身頃２２を縫合することにより作製される。図１（ａ）（ｂ）の生地片に示される点線矢印は、生地の伸縮性が高い方向性を示しており、前身頃２１は、横方向に伸縮性が高くなるように生地片が配置され、後身頃２２は、縦方向に伸縮性が高くなるように生地片が配置される。前身頃２１及び後身頃２２は、いずれも同じ原生地が用いられており、生地片を裁断する際に互いに直交する方向とされる。原生地は、例えば、伸縮性のあるニット生地、又は布帛等が好適に用いられ、布帛であれば、その伸縮率が２％〜１５％であることが好ましい。
【００１５】
左袖３及び右袖４は、前上袖部３１、４１、後上袖部３２、４２、前下袖部３３、４３、後下袖部３４、４４の夫々４枚の生地片を縫合することにより作製される。左袖３及び右袖４は、脇部から袖口に向けて先細りとなるように構成されている。前上袖部３１、４１は、袖の短手方向に生地片の伸縮性が高くなっており、裏側の後上袖部３２、４２は、袖の長手方向に生地片の伸縮性が高くなっている。また、前下袖部３３、４３は、袖の長手方向に生地片の伸縮性が高くなっており、後下袖部３４、４４は、袖の短手方向に生地片の伸縮性が高くなっている。
【００１６】
前身頃２１及び後身頃２２は、左右対称形状であり、図２（ａ）では、半身のみを示している。前身頃２１及び後身頃２２は、いずれも脇下の幅が広く、ウエスト部の幅がやや狭く、腰回りにかけてやや広くなっている。原生地がこのような形状に裁断されることにより、使用者の胴体にフィットしたインナーウェア１を得ることができる。
【００１７】
左袖３及び右袖４は、左右対称形状であり、図２（ｂ）では、右袖４のみを示している。後上袖部４２及び後下袖部４４は、前上袖部４１及び前下袖部４３に比べて大きい。後上袖部４２は、三角筋から上腕三頭筋、肘関節の外側をカバーできるように最も大きな生地片となっている。後上袖部４２は、袖の短手方向において隣り合う前上袖部４１と縫合されて腕が通る筒体を成し、袖の長手方向で隣り合う後下袖部４４とも縫合される。後下袖部４４は、袖の短手方向で隣り合う前下袖部４３と縫合される。
【００１８】
図３に示すように、前下袖部４３は、袖の長手方向で隣り合う前上袖部４１とは直接的には縫合されていない。これにより、右袖４のうち、肘の反対側に位置する肘窩に対向する部分に、開放部５１が設けられる。このように、インナーウェア１では、肘を曲げる内側にあたる部分の肘窩の位置に、開放部５１としてスリット状の穴を設けることにより、関節を生地が覆い締め付けず、筋肉への負担が少なく、疲れ難くすることができる。その結果、インナーウェア１の使用者は、腕の肩関節から肘、手関節に至るまでのスムーズに動かせるようになる。
【００１９】
また、本実施形態では、袖の長手方向に隣り合う生地の一方が延伸され、開放部５１を被覆している。具体的には、図３に示したように、前下袖部４３は、袖の長手方向に隣り合う前上袖部４１及び前下袖部４３のうち、前下袖部４３が前上袖部４１側に延伸され、開放部５１を被覆している。従って、開放部５１を設けたとしても、この開放部５１が前下袖部４３で隠されるので、使用者の肌が直接的に露出することはない。
【００２０】
また、インナーウェア１では、屈筋に対向する生地片と、伸筋に対向する生地片とは、伸縮性が高くなる方向性が互いに直交するように配置されている。すなわち、上半身の屈筋機能をサポートするよう各パーツの伸縮に変化をもたせ、運動する際の筋肉の負担を軽減するよう設計されている。例えば、胴部２では、前身頃２１は横伸び、後身頃２２は縦伸びすることにより、使用者が前に屈曲する際の急な曲りを、後身頃２２の生地により抑え、伸び上がる際には生地伸び戻りによって、運動をサポートする。また、前身頃２１の横伸びは、胸筋の内側に戻る力をサポートする。
【００２１】
また、袖部（例えば、右袖４）では、肘の曲げ伸ばしをサポートするように、後上袖部４２を縦伸び、前上袖部４１を横伸び、後下袖部４４及び前下袖部４３はそれらの逆にすることにより、生地の伸縮により、肘の曲げ伸ばしをサポートすることができる。これにより、インナーウェア１の使用者は、屈伸や肘の曲げ伸ばしにおいて、適宜に必要なサポートを受けることができる。
【００２２】
本実施形態のインナーウェア１は、同じ原生地を用い、生地片を裁断する際に、各部位に応じて、生地片の伸縮方向を変えるだけなので、従来のインナーウェアの様に、各部位の伸縮性をコントロールするために、生地の厚みや素材を変える必要がなく、材料の安定的な調達が容易で、生産効率を向上させることができる。もっとも、部位により伸縮性がより高いもの又は低いものを適宜に組み合わせてもよい。
【００２３】
本考案の第２の実施形態に係る被服について、図４乃至図６を参照して説明する。図４（ａ）（ｂ）に示すように、本実施形態の被服は、膝関節を覆う股下部を有するインナースパッツ６である。なお、インナースパッツ６もまた、使用者の身体にフィットするように、伸縮性の大きな複数の生地片を縫合することで製造され、また、それらの生地片は、一方向の伸縮性がこれに直交する他方向の伸縮性よりも高いものである。
【００２４】
インナースパッツ６は、左足を挿入する左筒部７（股下部）と、右足を挿入する右筒部８（股下部）と、を有し、左筒部７及び右筒部８の各股ぐり部が縫合されることによって製作されている。左筒部７及び右筒部８は、夫々前上身頃７１、８１、後上身頃７２、８２、前下身頃７３、８３及び後下身頃７４、８４の各生地片から成る。
【００２５】
前上身頃７１、８１は、股下部の短手方向に生地片の伸縮性が高くなっており、裏側の後上身頃７２、８２は、股下部の長手方向に生地片の伸縮性が高くなっている。また、前下身頃７３、８３は、股下部の長手方向に生地片の伸縮性が高くなっており、後下身頃７４、８４は、股下部の短手方向に生地片の伸縮性が高くなっている。
【００２６】
左筒部７及び右筒部８は、左右対称形状であり、図５では、右筒部８を構成する生地片を示している。前上身頃８１及び後上身頃８２は、股ぐり部の幅が広く、膝位置に向けて先細りになり、前下身頃８３及び後下身頃８４も、膝位置から裾先に向けて先細りになっている。原生地がこのような形状に裁断されることにより、使用者の脚にフィットしたインナースパッツ６を得ることができる。
【００２７】
前上身頃８１は、股下部の短手方向において隣り合う後上身頃８２と縫合されて腿が通る筒体を成し、股下部の長手方向で隣り合う前下身頃８３とも縫合される。前下身頃８３は、股下部の短手方向で隣り合う後下身頃８４と縫合される。
【００２８】
図６に示すように、後下身頃８４は、股下部の長手方向で隣り合う後上身頃８２とは直接的には縫合されていない。これにより、右筒部８のうち、膝の反対側に位置する膝窩に対向する部分に、開放部５２が設けられる。このように、インナースパッツ６では、膝を曲げる内側にあたる部分の膝窩の位置に、開放部５２としてスリット状の穴を設けることにより、関節を生地が覆い締め付けず、筋肉への負担が少なく、疲れ難くすることができる。その結果、インナースパッツ６の使用者は、脚の股関節から膝、脚首関節に至るまでのスムーズに動かせることができ、体幹バランスをとり易くなる。
【００２９】
また、本実施形態では、股下部の長手方向に隣り合う生地片の一方が延伸され、開放部５２を被覆している。具体的には、図６に示したように、後下身頃８４は、股下部の長手方向に隣り合う後上身頃８２及び後下身頃８４のうち、後下身頃８４が後上身頃８２側に延伸され、開放部５２を被覆している。従って、開放部５２を設けたとしても、この開放部５２が後下身頃８４で隠されるので、使用者の肌が直接的に露出することはない。
【００３０】
また、インナースパッツ６においても、屈筋に対向する生地片と、伸筋に対向する生地片とは、伸縮性が高くなる方向性が互いに直交するように配置されている。すなわち、下半身の伸筋機能をサポートするよう各パーツの伸縮に変化をもたせ、運動する際の筋肉の負担を軽減するよう設計されている。例えば、大腿部の前に位置する前上身頃８１を横伸び、大腿部の後ろに位置する後上身頃８２を縦伸びにすることにより、膝を曲げた際、前上身頃８１が吊られ、大腿部の下部を持ち上げようとする力が生じて、膝を伸ばす際の負担を軽減する。また、後上身頃８２は、ヒップから後ろの腿にかけて伸縮することにより、使用者が足を前に出す際のサポートを行う。また、後下身頃８４を横伸びにすることにより、脹脛をしっかりホールドする。そして、膝窩に開放部５２があるので、膝、太腿、脹脛の筋肉への負担を軽減することができる。
【００３１】
なお、本考案は、袖のうち肘窩に対向する部分又は股下部のうち膝窩に対向する部分に開放部を設けた構成であれば、上記実施形態に限らず、種々の変形が可能である。上記実施形態においては、複数の生地片を縫合することで製造されるものに基づいて説明したが、これに限らず、例えば、編立により開放部５１、５２を有するインナーウェア１及びインナースパッツ６を製造することもできる。
【００３２】
なお、人体は、２足歩行を行う構造上、上半身の筋肉は屈筋が優位に働き、下半身は伸筋が優位に働き易くなっている。例えば、上半身は、日常の生活の中で機能的に物をつかみ取る動作や、手前に引き寄せる動作を行う等、屈筋が日常の生活で多く使われる。一方、下半身は、体重を支えるために、伸筋が優位に働く構造になっている。そして、これらの伸筋及び屈筋のバランスが崩れたときに歪みが生じ、身体に生じる様々な疾患の原因となる。本発明に係る被服は、上記の開放部に併せて、装着された部位の繊維（伸縮性）の方向性を制御することで、当該被服の使用者が、バランス良く自然の働きが柔軟に行われるようにしたものである。
【符号の説明】
【００３３】
１    インナーウェア（被服）
３    左袖（袖）
４    右袖（袖）
４１    前上袖部（生地片）
４２    後上袖部（生地片）
４３    前下袖部（生地片）
４４    後下袖部（生地片）
５１    開放部
５２    開放部
６    インナースパッツ（被服）
７    左筒部（股下部）
８    右筒部（股下部）
８１    前上身頃（生地片）
８２    後上身頃（生地片）
８３    前下身頃（生地片）
８４    後下身頃（生地片）
【図１】
0003218894.tif 000003
【図２】
0003218894.tif 000004
【図３】
0003218894.tif 000005
【図４】
0003218894.tif 000006
【図５】
0003218894.tif 000007
【図６】
0003218894.tif 000008